(57)【要約】【課題】Ｒ、Ｇ又はＢの色に係る絵素からなる絵素列を含み、一つの絵素列に２つのソースラインが接続され、該ソースラインの電圧制御により画像を表示する表示パネルにおいて、大量の熱の発生を抑制する。【解決手段】１つの絵素列に２つのソースライン４１１，４１２が接続され、該絵素列の絵素５０１〜５０７と該２つのソースライン４１１，４１２との接続パターンが、該絵素列において連続する３以上数の絵素毎に繰り返される。前記絵素列の絵素５０１〜５０７は、該絵素列における絵素５０１〜５０７の並び順にて、非交互に２つのソースライン４１１，４１２と接続する。【選択図】図７
2017026855.tif 000002
【特許請求の範囲】
【請求項１】
Ｒ、Ｇ又はＢの色に係る絵素からなる絵素列を含み、一つの絵素列に２つのソースラインが接続され、該ソースラインの電圧制御により画像を表示する表示パネルにおいて、
前記絵素列は、前記２つのソースラインとの接続パターンが、連続する３以上数の絵素毎に繰り返され、
前記絵素列の絵素は、並び順にて、非交互に２つのソースラインと接続していることを特徴とする表示パネル。
【請求項２】
前記３以上数の絵素のうち、連続する２以上の絵素と接続する一のソースラインと、
残りの絵素と接続する他のソースラインと
を備えることを特徴とする請求項１に記載の表示パネル。
【請求項３】
前記３以上数は偶数であり、
前記一のソースラインは、前記偶数の半数に係る絵素と接続していることを特徴とする請求項２に記載の表示パネル。
【請求項４】
前記３以上数は３であり、
前記一のソースラインは２つの絵素と接続し、
前記他のソースラインは１つの絵素と接続することを特徴とする請求項２に記載の表示パネル。
【請求項５】
前記偶数は４であり、
前記一のソースラインは、２つの絵素と接続していることを特徴とする請求項３に記載の表示パネル。
【請求項６】
請求項１から５の何れか一つに記載の表示パネルと、
該表示パネルに電力を供給する電源とを備え、
前記電源から供給された電力を用いて、前記表示パネルに画像を表示することを特徴とする表示装置。
【発明の詳細な説明】
【技術分野】
【０００１】
本発明は、Ｒ、Ｇ又はＢの色に係る絵素からなる絵素列を含み、一つの絵素列に２つのソースラインが接続され、該ソースラインの電圧制御により画像を表示する表示パネル及び表示装置に関する。
【背景技術】
【０００２】
近年、視野角特性の改善などの目的から、表示装置を高速に駆動する技術が求められている。表示装置を高速に駆動する方法として、いわゆるＷソース配線パネルが知られている。
【０００３】
図１は従来のＷソース配線パネルの等価回路の一例を部分的に示す回路図である。図１のＷソース配線パネルにおいて、画素を構成する各絵素Ｓは、薄膜トランジスタＴと、対向電極Ｃと、絵素電極Ｉと、液晶補助容量Ｋとを有している。
【０００４】
このような各絵素Ｓは、ソースバスラインＳ１ｎ，Ｓ１ｎ＋１，…（以下、単にＳ１ｎという。）と、ソースバスラインＳ２ｎ，Ｓ２ｎ＋１，…（以下、単にＳ２ｎという。）と、ゲートラインＧｎ，Ｇｎ＋１，…と接続されている。ソースバスラインＳ１ｎ，Ｓ２ｎ及びゲートラインＧｎは互いに直交するように配されている。より詳しくは、薄膜トランジスタＴのゲート端子がケートラインＧｎと接続され、ソース端子がソースバスラインＳ１ｎ又はＳ２ｎと接続されている。また、液晶補助容量Ｋは、ゲートラインＧｎと平行に設けられた保持容量ラインＣｓと接続されている。
【０００５】
すなわち、Ｗソース配線パネルでは、ソースバスラインに沿う方向に並ぶ各絵素列に対して夫々２本のソースバスラインが設けられている。そして、このようなＷソース配線パネルを駆動する際には、ソースバスラインに沿う方向に隣接して配置された２つの絵素を選択し、選択された２つの絵素を同時に制御する。
【０００６】
詳しくは、各画素に信号を入力する場合には、一つの絵素列を挟んで隣接して配置された２本のソースバスライン（以下、対ソースバスラインと言う。）に印加する電圧を同時にオン電圧に切り換え、当該対ソースバスラインに夫々対応する電圧信号を入力する。また、絵素に信号を入力し終わった場合には、当該対ソースバスラインに印加する電圧を同時にオフ電圧に切り換える。
【０００７】
以上のように、Ｗソースパネルを備えた表示装置では、同時に２つの絵素を制御することができ、高速駆動が可能となる。
【０００８】
特許文献１には、表示パネルの周辺領域であって、ソースドライバ及び画素の間に、ソースドライバの出力信号を時分割して複数の出力端子に分配する信号分配装置を設けることにより、ソースドライバの異常発熱を抑制する表示装置について開示されている。
【先行技術文献】
【特許文献】
【０００９】
【特許文献１】国際公開第２０１０／０９５３０６号パンフレット
【発明の概要】
【発明が解決しようとする課題】
【００１０】
一方、上述したような従来のＷソース配線パネルには、大量の発熱が発生する特定のパターン（以下、大量発熱パターンと言う。）がある。図２は従来のＷソース配線パネルにおける、大量発熱パターンの一例を示す例示図であり、図３は従来のＷソース配線パネルにおいて、図２の大量発熱パターンを表示する際、ソースバスラインに印加される電圧制御を示す図である。
【００１１】
図２に示す大量発熱パターンを表示させるためには、図３のような方法にて電圧の印加を制御する必要がある。すなわち、図３から分かるように、電圧の印加のオン・オフが繰り返して行われた場合、図２の大量発熱パターンが表示される。しかし、このように、電圧の印加のオン・オフを繰り返すことにより、斯かるソースドライバでは大量の熱が発生するという問題がある。
【００１２】
更に、斯かる大量発熱パターンは、当該表示装置における画像表示の際、頻繁に表示させるパターンであり、斯かる問題を更に大きくしている。
【００１３】
しかしながら、特許文献１に係る信号配線装置では、このように、大量発熱パターンによって大量の熱が発生する問題については考慮しておらず、該問題を解決することはできない。
【００１４】
本発明は、斯かる事情に鑑みてなされたものであり、その目的とするところは、Ｒ、Ｇ又はＢの色に係る絵素からなる絵素列を含み、一つの絵素列に２つのソースラインが接続され、該ソースラインの電圧制御により画像を表示する表示パネルにおいて、上述したような、大量発熱パターンによる大量熱の発生を抑制することが出来る表示パネル及び表示装置を提供することにある。
【課題を解決するための手段】
【００１５】
本発明に係る表示パネルは、Ｒ、Ｇ又はＢの色に係る絵素からなる絵素列を含み、一つの絵素列に２つのソースラインが接続され、該ソースラインの電圧制御により画像を表示する表示パネルにおいて、前記絵素列は、前記２つのソースラインとの接続パターンが、連続する３以上数の絵素毎に繰り返され、前記絵素列の絵素は、並び順にて、非交互に２つのソースラインと接続していることを特徴とする。
【００１６】
本発明に係る表示パネルは、前記３以上数の絵素のうち、連続する２以上の絵素と接続する一のソースラインと、残りの絵素と接続する他のソースラインとを備えることを特徴とする。
【００１７】
本発明に係る表示パネルは、前記３以上数は偶数であり、前記一のソースラインは、前記偶数の半数に係る絵素と接続していることを特徴とする。
【００１８】
本発明に係る表示パネルは、前記３以上数は３であり、前記一のソースラインは２つの絵素と接続し、前記他のソースラインは１つの絵素と接続することを特徴とする
【００１９】
本発明に係る表示パネルは、前記偶数は４であり、前記一のソースラインは、２つの絵素と接続していることを特徴とする。
【００２０】
本発明に係る表示装置は、前述の発明の何れか一つに記載の表示パネルと、該表示パネルに電力を供給する電源とを備え、前記電源から供給された電力を用いて、前記表示パネルに画像を表示することを特徴とする。
【発明の効果】
【００２１】
本発明によれば、前記大量発熱パターンにより大量の熱が発生すること、及び、画像の表示において、斯かる発熱パターンが頻繁に表示されることを抑制することが出来る。
【図面の簡単な説明】
【００２２】
【図１】従来のＷソース配線パネルの等価回路の一例を部分的に示す回路図である。
【図２】従来のＷソース配線パネルにおける、大量発熱パターンの一例を示す例示図である。
【図３】従来のＷソース配線パネルにおいて、大量発熱パターンを表示する際、ソースバスラインに印加される電圧制御を示す図である。
【図４】実施の形態１に係る液晶表示装置の要部構成を概略的に示す説明図である。
【図５】実施の形態１に係る液晶表示装置において、液晶パネルの要部構成を示す説明図である。
【図６】実施の形態１に係る液晶表示装置の表示パネルの等価回路の一例を部分的に示す回路図である。
【図７】実施の形態１に係る液晶表示装置の表示パネルにおける、各絵素とソースバスラインとの配置関係を、従来の場合と対比して説明する説明図である。
【図８】実施の形態１に係る液晶表示装置において、大量発熱パターンを表示する際、ソースバスラインに印加される電圧制御を示す図である。
【図９】実施の形態２に係る液晶表示装置の表示パネルにおける、各絵素とソースバスラインとの配置関係を説明する説明図である。
【発明を実施するための形態】
【００２３】
以下に、本発明の実施の形態に係る表示装置を、液晶パネルを備える液晶表示装置に適用した場合を例として、図面に基づいて詳述する。
【００２４】
（実施の形態１）
図４は実施の形態１に係る液晶表示装置１００の要部構成を概略的に示す説明図である。液晶表示装置１００は、電源回路１、制御回路２、ゲートドライバ３、ソースドライバ４、及び液晶パネル５を備えている。
【００２５】
電源回路１は、当該電源回路１の外部（例えば商用電源、自家発電電源、充電装置など）から供給される電力を受け取り、液晶表示装置１００の各部に対して電力を供給する。また、電源回路１は電圧降下検知回路１１、主電源回路１２、及び補助電源回路１３を備えている。
【００２６】
電圧降下検知回路１１は、外部からの入力電圧を監視することにより、液晶表示装置１００の電源オフを検知する。なお、実施の形態１では、電圧降下検知回路１１が外部からの供給電圧を監視するものとしているが、これに限るものでなく、例えば主電源回路１２の出力電圧を監視するようにしてもよい。
【００２７】
主電源回路１２は、液晶表示装置１００の電源がオンされている通常表示時に、外部から供給される電力を液晶表示装置１００の各部分に配分する。
【００２８】
補助電源回路１３は、例えばコンデンサ等の充電手段（図示せず）を備えており、外部から供給される電力により前記充電手段を充電するとともに、液晶表示装置１００の電源オフ時に前記充電手段に充電されている電力を液晶表示装置１００における電源オフ処理を行う各部分に供給する。前記電源オフ処理は、例えば、液晶表示装置１００の電源オフ時に液晶パネル５の後述する絵素に蓄積された電荷を放出させるための処理である。
【００２９】
制御回路２は、当該制御回路２の外部から入力される入力信号に応じた画像を液晶パネル５に表示させるための制御信号を生成し、ゲートドライバ３及びソースドライバ４に出力するものであり、画像データ入力部２１、画像処理部２２、同期処理部２３、ゲート制御信号生成部２４、及びソース制御信号生成部２５を備えている。
【００３０】
画像データ入力部２１は、制御回路２の外部から入力される入力信号を受け付け、入力信号に含まれる画像信号を画像処理部２２に出力し、入力信号に含まれる同期信号を同期処理部２３に出力する。
【００３１】
画像処理部２２は、画像データ入力部２１から入力された画像信号をソースドライバ４の入力フォーマットに応じた信号に変換してソースドライバ４に出力する。
【００３２】
同期処理部２３は、画像データ入力部２１から入力された同期信号に基づいて各絵素の水平方向の位置情報と垂直方向の位置情報とを生成し、垂直方向の位置情報をゲート制御信号生成部２４に出力し、水平方向の位置情報をソース制御信号生成部２５に出力する。
【００３３】
ゲート制御信号生成部２４は、同期処理部２３から入力される垂直方向の位置情報に基づいて、ゲートドライバ３を制御するための制御信号を生成してゲートドライバ３に送る。
【００３４】
ソース制御信号生成部２５は、同期処理部２３から入力される水平方向の位置情報に基づいて、ソースドライバ４を制御するための制御信号を生成してソースドライバ４に出力する。
【００３５】
図５は実施の形態１に係る液晶表示装置１００において、液晶パネル５の要部構成を示す説明図である。液晶パネル５は、スペーサ（図示せず）を挟んで対向配置されたＴＦＴ基板５１及び対向基板５２と、ＴＦＴ基板５１と対向基板５２との間に封入された液晶材料からなる液晶層５３と、ＴＦＴ基板５１の裏面側（対向基板５２との対向面との反対面側）に配置された第１偏光板５４と、対向基板５２の表面側（ＴＦＴ基板５１との対向面との反対面側）に配置された第２偏光板５５とを備えている。また、液晶パネル５の裏面側には、バックライト５６が配置されている。
【００３６】
第１偏光板５４は、バックライト５６から照射された光のうち、該第１偏光板５４の偏光軸方向に応じた光のみを透過させる。また、各絵素の液晶層５３には画像信号に応じた電圧が印加されるようになっており、これによって各絵素における液晶の複屈折が画像信号に応じて変化し、各絵素を通過する光の偏光方向は画像信号に応じて変化する。
【００３７】
また、第２偏光板５５は、液晶層５３を通過した光のうち、該第２偏光板５５の偏光軸方向に応じた光のみを透過させる。これにより、液晶パネル５を透過する光の光量を画像信号に応じて絵素毎に制御することで画像表示を行うようになっている。
【００３８】
対向基板５２における各絵素（サブピクセル）に対応する領域には、Ｒ，Ｇ，Ｂのいずれかのカラーフィルタが形成されており、Ｒ，Ｇ，Ｂの３つの絵素の組み合わせによって１つの画素が形成されている。これにより、各画素のＲ，Ｇ，Ｂの透過光量が画像信号に応じて画素毎に制御され、画像データに応じた画像が表示される。
【００３９】
この際、ソースドライバ４は前記画像信号及び制御信号に基づいて、何れかのソースバスライン（ソースライン）を選択し、電圧の印加を制御する。また、ソースドライバ４はベゼルＶの内側に取り付けられている。
【００４０】
ベゼルＶは、ＴＦＴ基板５１、対向基板５２、第１偏光板５４、第２偏光板５５等の縁部を覆うように設けられ、これらを保持している。
【００４１】
上述したように、ソースドライバ４が電圧の印加を制御する際、ソースドライバ４は熱が発生する。しかし、発生した熱はソースドライバ４と接しているベゼルＶに伝導され、ベゼルＶを介して空気中に放熱される。
【００４２】
図６は実施の形態１に係る液晶表示装置１００の表示パネル５の等価回路の一例を部分的に示す回路図である。表示パネル５はＷソース配線パネルであり、マトリックス状に複数の絵素５０がＲ、Ｇ、Ｂ毎に配列されている。以下、詳しく説明する。
【００４３】
ＴＦＴ基板５１上には、複数のゲートバスライン３１１，３１２，３１３，３１４，…（以下、単にゲートバスライン３１とも言う。）と、各ゲートバスライン３１と格子状に交差するように配置された複数のソースバスライン４１１，４１２，４１３…（以下、ソースバスライン４１とも言う。）とが設けられており、複数の保持容量ライン６０１，６０２，６０３…（以下、単に保持容量ライン６０とも言う。）がゲートバスライン３１と平行になるように配線されている。また、ゲートバスライン３１及びソースバスライン４１の各交差部には絵素５０１，５０２，５０３…（以下、絵素５０とも言う。）が設けられている。また、各ゲートバスライン３１はゲートドライバ３に接続されており、各ソースバスライン４１はソースドライバ４に接続されている。
【００４４】
各絵素５０は、スイッチング素子としてのＴＦＴ（Thin Film Transistor）６１と、絵素電極６２と、対向電極６３とを備えている。ＴＦＴ６１は、ゲート端子がゲートバスライン３１に接続されており、ソース端子がソースバスライン４１に接続されており、ドレイン端子は絵素電極６２に接続されている。また、対向電極６３は共通電位線ＣＯＭに接続されている。
【００４５】
また、絵素５０は、液晶容量（絵素電極６２、液晶層５３、および対向電極６３）に対して並列に配置された、各絵素５０の電位を維持するための液晶補助容量６４を更に備えている。液晶補助容量６４は、一端がＴＦＴ６１のドレイン端子と接続され、他端が保持容量ライン６０と接続されている。
【００４６】
ＴＦＴ６１のゲート端子の電圧が当該ＴＦＴ６１のソース端子の電圧よりも所定値以上高くなるとＴＦＴ６１がオンとなり、ソース端子とドレイン端子との間を電流が流れ、ソースバスライン４１の電位が液晶層５３に印加される。
【００４７】
一方、実施の形態１に係る液晶表示装置１００の表示パネル５は、上述したようにＷソース配線パネルである。図７は実施の形態１に係る液晶表示装置１００の表示パネル５における、各絵素５０とソースバスライン４１との配置関係を、従来の場合と対比して説明する説明図である。図７Ａは実施の形態１に係る液晶表示装置１００の表示パネル５の場合を示しており、図７Ｂは従来の場合を示している。以下、説明の便宜上、主にＲに係る絵素５０１，５０２，５０３…を例に挙げて、図７に基づいて詳しく説明する。
【００４８】
表示パネル５では、Ｒ、Ｇ、Ｂ夫々に係る複数の絵素５０がソースバスライン４１１，４１２，４１３…に沿う方向に配列されている。また、これによって構成される絵素の列（以下、単に絵素列と言う。）に対しては、２つのソースバスライン（以下、対ソースバスラインと言う。）が割り当てられている。該２つのソースバスラインは、斯かる絵素列を挟んで配線されている。
【００４９】
また、該対ソースバスラインと、各絵素列の絵素との接続パターンは、連続する３以上数の絵素毎に繰り返されており、該絵素列の絵素は、その並び順にて、非交互に、斯かる対ソースバスラインの２つのソースラインと接続されている。
【００５０】
更に、前記対ソースバスラインのうち、一のソースバスラインは、前記３以上数の絵素のうち、連続する２以上の絵素と接続しており、他のソースバスラインは、残りの絵素と接続している。
【００５１】
以下においては、前記「連続する３以上数の絵素」が３つの絵素であり、前記「連続する２以上の絵素」が２つの絵素であって、前記「残りの絵素」が１つの絵素である場合を例として詳しく説明する。
【００５２】
Ｒに係る絵素列（以下、Ｒ絵素列と言う。）に対してはソースバスライン４１１，４１２が夫々接続され、Ｇに係る絵素列（以下、Ｇ絵素列と言う。）に対してはソースバスライン４１３，４１４が夫々接続され、Ｂに係る絵素列（以下、Ｂ絵素列と言う。）に対してはソースバスライン４１５，４１６が夫々接続されている。
【００５３】
より詳しくは、例えば、Ｒ絵素列の絵素５０１，５０２，５０３…においては、該Ｒ絵素列の左側のソースバスライン４１１に絵素５０１，５０２，５０４，５０５等が接続されており、該Ｒ絵素列の右側の他方のソースバスライン４１２には絵素５０３，５０６等が接続されている。
【００５４】
換言すれば、Ｒ絵素列においては、対応する対ソースバスライン４１１，４１２に対して、該Ｒ絵素列の並び方向に連続する２つの絵素が一のソースバスライン４１１に接続され、該並び方向にて、該連続する２つの絵素の前又は後の１つの絵素が他のソースバスライン４１２に接続されている。
【００５５】
すなわち、実施の形態１では、Ｒ絵素列においては、該Ｒ絵素列の並び方向に連続する３つの絵素毎に、同様の接続パターンによって、ソースバスライン４１１及びソースバスライン４１２との接続が繰り返されている。斯かる３つの絵素のうち、当該並び順に連続する２つの絵素がソースバスライン４１１に接続され、残り１つの絵素がソースバスライン４１２に接続されている。
【００５６】
このような実施の形態１に係る表示パネル５の構成は、絵素列の各絵素が斯かる並び順にて１つずつ対ソースバスラインに、交互に接続されている従来の構成と異なる。
【００５７】
また、Ｇ絵素列においては、対応する対ソースバスライン４１３，４１４に対して、該Ｇ絵素列に沿う方向に連続する２つの絵素が一のソースバスライン４１３に接続され、該方向にて、該連続する２つの絵素の前又は後の絵素が他のソースバスライン４１４に接続されている。
【００５８】
すなわち、実施の形態１では、Ｇ絵素列において、該Ｇ絵素列の並び方向に連続する３つの絵素毎に、同様の接続パターンによって、ソースバスライン４１３及びソースバスライン４１４と接続がなされている。斯かる３つの絵素のうち、当該並び順に連続する２つの絵素が該Ｇ絵素列に対して右側のソースバスライン４１４に接続され、残り１つの絵素が左側のソースバスライン４１３に接続されている。
【００５９】
なお、Ｂ絵素列においてはＲ絵素列と同様に構成されている。
【００６０】
これに対して、図７Ｂに示す従来の場合は、Ｒ、Ｇ及びＢに係る各絵素列にて、前記対ソースバスラインにおいて、一のソースバスライン及び他のソースバスラインに各絵素列の絵素が１つずつ交互に接続されている。
【００６１】
すなわち、図７Ｂにおいて、絵素５０１Ａが一のソースバスライン４１１０に接続され、絵素５０２Ｂが他のソースバスライン４１２０に接続され、絵素５０３Ｃがまたソースバスライン４１１０に接続され、絵素５０４Ｄがまたソースバスライン４１２０に接続され、各絵素が１つずつ対ソースバスラインへ交互に接続されている。
【００６２】
上述した実施の形態１に係る液晶表示装置１００の表示パネル５を駆動する際には、２つの絵素を選択し、選択された絵素に接続されているソースバスラインに対する印加電圧を斯かる画像信号に応じて制御することで、各絵素５０の液晶層５３に画像信号に応じた電圧を印加して液晶分子の配向方向を制御し、表示を行う。この際、選択された２つの絵素を同時に制御することにより、高速駆動が可能となる。
【００６３】
一方、図７Ｂに示した従来の場合は、上述したように、各絵素が１つずつ対ソースバスラインへ交互に接続された構成を有することから、図２に示すような大量発熱パターンを表示する際、斯かる対ソースバスラインが共にオン・オフを繰り返すこととなり、斯かるソースドライバでは大量の熱が発生する。更に、斯かる大量発熱パターンは、画像表示の際、頻繁に表示させるパターンであり、発熱の問題を更に悪化させている。
【００６４】
これに対して、実施の形態１に係る液晶表示装置１００においては、このような問題を解決できる。図８は実施の形態１に係る液晶表示装置１００において、図２の大量発熱パターンを表示する際、ソースバスラインに印加される電圧制御を示す図である。
【００６５】
実施の形態１に係る液晶表示装置１００においては、表示パネル５が、上述したように、各絵素が１つずつ対ソースバスラインへ交互に接続された構成を有しないことから、斯かる対ソースバスラインの何れにおいても電圧のオン・オフを繰り返すことはなく、斯かるソースドライバ４にて大量の熱が発生することを未然に防止できる。
【００６６】
更に、実施の形態１に係る液晶表示装置１００おいては、表示パネル５が、上述したような構成を有することから、図２の大量発熱パターンとは異なる大量発熱パターンを有することとなり、実際の画像表示の際、斯かる大量発熱パターンが表示される頻度も減らすこと結果となり、斯かるソースドライバ４での熱発生を一層抑えることが出来る。
【００６７】
なお、ソースドライバ４と接続しているベゼルＶに、ソースドライバ４から発生した熱が伝導される場合も、上述したように、ソースドライバ４での熱発生を抑えることが出来ることから、ベゼルＶが高温になることを抑制でき、ユーザに不愉快感を与えることを未然に防止できる。
【００６８】
以上においては、前記「連続する３以上数の絵素」が３つの絵素であり、前記「連続する２以上の絵素」が２つの絵素であって、前記「残りの絵素」が１つの絵素である場合を例として説明したが、本発明はこれに限るものでない。
【００６９】
例えば、前記「連続する３以上数の絵素」が４つの絵素であり、前記「連続する２以上の絵素」が３つの絵素であって、前記「残りの絵素」が１つの絵素である構成でも良く、前記「連続する３以上数の絵素」が５つの絵素であり、前記「連続する２以上の絵素」が３つの絵素であって、前記「残りの絵素」が２つの絵素である構成でも良い。これらと同様な変形例であれば、同様の効果を奏することは言うまでもない。
【００７０】
（実施の形態２）
図９は実施の形態２に係る液晶表示装置１００の表示パネル５における、各絵素５０とソースバスライン４１との配置関係を説明する説明図である。
【００７１】
実施の形態１においても、実施の形態１同様、前記対ソースバスラインと、各絵素列の絵素との接続パターンは、連続する３以上数の絵素毎に繰り返されており、該絵素列の絵素は、その並び順にて、非交互に、斯かる対ソースバスラインの２つのソースラインと接続されている。
【００７２】
更に、前記３以上数は偶数であり、前記対ソースバスラインのうち、一のソースバスラインは、前記３以上数の絵素のうち、前記偶数の半数に係る絵素と接続しており、他のソースバスラインは残りの絵素と接続している。
【００７３】
以下においては、前記「連続する３以上数の絵素」が４つの絵素である場合、すなわち、前記「偶数の半数に係る絵素」が２つの絵素である場合を例として詳しく説明する。以下、説明の便宜上、主にＲに係る絵素５０１，５０２，５０３…を例に挙げて図９に基づいて詳しく説明する。
【００７４】
表示パネル５では、Ｒ、Ｇ、Ｂ夫々に係る複数の絵素５０がソースバスライン４１１Ａ，４１２Ａ，４１３Ａ…に沿う方向に配列されている。また、これによって構成される絵素列に対しては、実施の形態１と同様、対ソースバスラインが割り当てられている。
【００７５】
詳しくは、Ｒ絵素列に対してはソースバスライン４１１Ａ，４１２Ｂが夫々接続され、Ｇ絵素列に対してはソースバスライン４１３Ａ，４１４Ａが夫々接続され、Ｂ絵素列に対してはソースバスライン４１５Ａ，４１６Ｂが夫々接続されている。
【００７６】
また、Ｒ絵素列の絵素５０１，５０２，５０３…においては、該Ｒ絵素列の左側のソースバスライン４１１Ａに絵素５０１，５０２，５０５，５０６等が接続されており、該Ｒ絵素列の右側の他方のソースバスライン４１２Ａには絵素５０３，５０４等が接続されている。
【００７７】
換言すれば、Ｒ絵素列においては、対応する対ソースバスライン４１１Ａ，４１２Ｂに対して、該Ｒ絵素列の並び方向に連続する２つの絵素（以下、連続２つ絵素と言う。）が一のソースバスライン４１１Ａに接続され、該連続２つ絵素の前又は後にて、前記並び向に連続する他の２つの絵素が他のソースバスライン４１２Ａに接続されている。
【００７８】
すなわち、実施の形態２では、Ｒ絵素列において、該Ｒ絵素列の並び方向に連続する４つの絵素毎に、同様の接続パターンによって、ソースバスライン４１１Ａ及びソースバスライン４１２Ａとの接続が繰り返されている。斯かる４つの絵素のうち、当該並び順にて先の連続２つ絵素がソースバスライン４１１Ａに接続され、残りの連続２つ絵素がソースバスライン４１２Ａに接続されている。
【００７９】
このような実施の形態２に係る表示パネル５の構成は、絵素列の各絵素が斯かる並び順にて１つずつ対ソースバスラインに、交互に接続されている従来の構成（図７Ｂ）と異なる。
【００８０】
また、Ｇ絵素列においては、対応する対ソースバスライン４１３Ａ，４１４Ａに対して、該Ｇ絵素列の並び方向での連続２つ絵素が一のソースバスライン４１３Ａに接続され、該連続２つ絵素の前又は後にて、該並び方向での、他の連続２つ絵素が他のソースバスライン４１４Ａに接続されている。
【００８１】
すなわち、実施の形態２では、Ｇ絵素列において、該Ｇ絵素列の並び方向に連続する４つの絵素毎に、同様の接続パターンによって、ソースバスライン４１３Ａ及びソースバスライン４１４Ｂと接続が繰り返されている。斯かる４つの絵素のうち、当該並び順にて先の連続２つ絵素が該Ｇ絵素列に対して右側のソースバスライン４１４Ａに接続され、残りの連続２つ絵素が左側のソースバスライン４１３Ａに接続されている。
【００８２】
なお、Ｂ絵素列においてはＲ絵素列と同様に構成されている。
【００８３】
実施の形態２に係る液晶表示装置１００においては、表示パネル５が、上述したように、各絵素が１つずつ対ソースバスラインへ交互に接続された構成を有しないことから、斯かる対ソースバスラインの何れにおいても電圧のオン・オフを繰り返すことはなく、斯かるソースドライバ４にて大量の熱が発生することを未然に防止できる。
【００８４】
更に、図２の大量発熱パターンとは異なる大量発熱パターンを有することとなり、実際の画像表示の際、斯かる大量発熱パターンが表示される頻度も減らすこと結果となり、斯かるソースドライバ４での熱発生を一層抑えることが出来る。
【００８５】
実施の形態１と同様の部分については、同一の符号を付して詳細な説明を省略する。
【００８６】
以上においては、前記「連続する３以上数の絵素」が４つの絵素である場合であって、前記「偶数の半数に係る絵素」が２つの絵素である場合を例として説明したが、本発明はこれに限るものでない。
【００８７】
例えば、前記「連続する３以上数の絵素」が６つの絵素であり、前記「偶数の半数に係る絵素」が３つの絵素である構成であっても良く、前記「連続する３以上数の絵素」が８つの絵素であり、前記「偶数の半数に係る絵素」が４つの絵素である構成であっても良い。これらと同様な変形例であれば、同様の効果を奏することは言うまでもない。
【００８８】
（実施の形態３）
本発明は、以上の記載に限るものでない。例えば、実施の形態１における、絵素列の各絵素と、前記対ソースバスラインとの接続パターン（以下、実施の形態１の接続パターンと言う。）と、実施の形態２における、絵素列の各絵素と、前記対ソースバスラインとの接続パターン（以下、実施の形態２の接続パターン）とを共に有する構成であっても良い。
【００８９】
より具体的には、実施の形態３に係る液晶表示装置１００においては、表示パネル５に係るＲ絵素列に対しては実施の形態１の接続パターンを適用し、Ｇ絵素列に対しては実施の形態２の接続パターンを適用した構成であっても良い。
【００９０】
本発明の実施態様１においては、Ｒ、Ｇ又はＢの色に係る絵素５０１〜５０７からなる絵素列を含み、一つの絵素列に２つのソースライン４１１〜４１８が接続され、該ソースライン４１１〜４１８の電圧制御により画像を表示する表示パネル５において、前記絵素列は、前記２つのソースライン４１１〜４１８との接続パターンが、連続する３以上数の絵素毎に繰り返され、前記絵素列の絵素５０１〜５０７は、並び順にて、非交互に２つのソースラインと接続していることを特徴とする。
【００９１】
本発明によれば、１つの絵素列に２つのソースラインが接続され、該絵素列の絵素と該２つのソースラインとの接続パターンが、該絵素列において連続する３以上数の絵素毎に繰り返される。前記絵素列の絵素は、該絵素列における絵素の並び順にて、非交互に２つのソースラインと接続する。
【００９２】
本発明の実施態様２においては、前記３以上数の絵素のうち、連続する２以上の絵素と接続する一のソースライン４１１、４１４と、残りの絵素と接続する他のソースライン４１２、４１３とを備えることを特徴とする。
【００９３】
本発明によれば、前記２つのソースラインのうち、一のソースラインは前記３以上数の絵素のうち、連続する２以上の絵素と接続し、前記３以上数の絵素から、前記連続する２以上の絵素を除く残りの絵素は他のソースラインと接続する。
【００９４】
本発明の実施態様３においては、前記３以上数は偶数であり、前記一のソースライン４１１、４１４は、前記偶数の半数に係る絵素と接続していることを特徴とする。
【００９５】
本発明によれば、前記２つのソースラインのうち、一のソースラインは前記３以上数の偶数の半数に係る絵素であって、連続する２以上の絵素と接続し、残り半数に係る絵素は他のソースラインと接続する。
【００９６】
本発明の実施態様４においては、前記３以上数は３であり、前記一のソースライン４１１、４１４は２つの絵素と接続し、前記他のソースライン４１２、４１３は１つの絵素と接続することを特徴とする。
【００９７】
本発明によれば、前記３以上数が３である場合、前記２つのソースラインのうち、一のソースラインは連続する２つの絵素と接続し、残りの１つの絵素は他のソースラインと接続する。
【００９８】
本発明の実施態様５においては、前記偶数は４であり、前記一のソースライン４１１、４１４は、２つの絵素と接続していることを特徴とする。
【００９９】
本発明によれば、前記偶数が４である場合、前記２つのソースラインのうち、一のソースラインは偶数の４の半数に係る２つの絵素であって、連続する絵素と接続し、残り半数に係る２つの絵素は他のソースラインと接続する。
【０１００】
本発明の実施態様６においては、前述の発明の何れか一つに記載の表示パネル５と、該表示パネル５に電力を供給する電源１とを備え、前記電源１から供給された電力を用いて、前記表示パネル５に画像を表示することを特徴とする。
【０１０１】
本発明によれば、前記電源から供給された電力を用いて、前記表示パネルにおける絵素の電圧制御を行い、該表示パネルに画像が表示される。
【符号の説明】
【０１０２】
１  電源回路
５  表示パネル
４１  ソースバスライン
５０  絵素
１００  液晶表示装置
４１１〜４１８  ソースバスライン
５０１〜５０７  絵素
【図１】
2017026855.tif 000003
【図２】
2017026855.tif 000004
【図３】
2017026855.tif 000005
【図４】
2017026855.tif 000006
【図５】
2017026855.tif 000007
【図６】
2017026855.tif 000008
【図７】
2017026855.tif 000009
【図８】
2017026855.tif 000010
【図９】
2017026855.tif 000011